(57)【特許請求の範囲】
【請求項１】
撮影空間より上方にあり磁性体よりなる架台上部と、
前記架台上部に取りつけられ磁界が前記撮影空間を通るように配置された上部磁気発生手段と、
前記架台上部に取り付けられ磁性体よりなる支柱と、
前記支柱の下部と結合し支柱と結合する部分以外の少なくとも一つの側面に切り込み部を設けた架台下部と、
前記架台下部に取りつけられ磁界が前記撮影空間を通るように配置され前記上部磁気発生手段より水平方向の幅が小さい下部磁気発生手段と
を具備することを特徴とする開放型磁気共鳴診断装置。
【請求項２】
前記上部磁気発生手段が、前記架台上部より前記撮影空間側に設けた磁性体よりなる上部ポールピースと前記上部ポールピースの周囲に巻かれた上部コイルからなり、前記下部磁気発生手段が、前記架台下部より前記撮影空間側に設けた磁性体よりなる下部ポールピースと前記下部ポールピースの周囲に巻かれた下部コイルからなり、前記下部コイルの水平方向の幅を小さくしたことを特徴とする請求項１記載の開放型磁気共鳴診断装置。
【請求項３】
前記下部コイルの巻き数を前記上部コイルの巻き数より少なくしたことを特徴とする請求項２記載の開放型磁気共鳴診断装置。
【請求項４】
前記上部磁気発生手段が、前記架台上部より前記撮影空間側に設けた磁性体よりなる上部ポールピースと前記上部ポールピースと前記架台上部の間に設けられた上部永久磁石からなり、前記下部磁気発生手段が、前記架台下部より前記撮影空間側に設けた磁性体よりなる下部ポールピースと前記下部ポールピースと前記架台下部の間に設けられた下部永久磁石からなり、前記上部永久磁石より、前記下部永久磁石の水平方向の幅を小さくしたことを特徴とする請求項１記載の開放型磁気共鳴診断装置。
【請求項５】
前記下部永久磁石を円柱状とし、前記上部永久磁石より半径方向の幅を小さくしたことを特徴とする請求項４記載の開放型磁気共鳴診断装置。
【請求項６】
撮影空間において静磁場が印加された被検体に対して傾斜磁場およびＲＦ磁場をかけ、前記被検体から発生するＭＲ信号を用いて画像データを生成する開放型磁気共鳴診断装置において、
前記撮影空間より上方にあり磁性体よりなる架台上部と、
前記架台上部に取りつけられ磁界が前記撮影空間を通るように配置された上部磁気発生手段と、
前記架台上部に取り付けられ磁性体よりなる支柱と、
前記支柱の下部と結合し支柱と結合する部分以外の少なくとも一つの側面に切り込み部を設けた架台下部と、
前記架台下部に取りつけられ磁界が前記撮影空間を通るように配置された下部磁気発生手段と
を備え、
前記上部磁気発生手段が、前記架台上部より前記撮影空間側に設けた磁性体よりなる上部ポールピースと前記上部ポールピースの周囲に巻かれた上部コイルからなり、前記下部磁気発生手段が、前記架台下部より前記撮影空間側に設けた磁性体よりなる下部ポールピースと前記下部ポールピースの周囲に巻かれた下部コイルからなり、前記下部コイルの巻き数を前記上部コイルの巻き数より少なくして前記下部コイルの水平方向の幅を前記上部コイルの水平方向の幅よりも小さくしたことを特徴とする開放型磁気共鳴診断装置。
【請求項７】
撮影空間において静磁場が印加された被検体に対して傾斜磁場およびＲＦ磁場をかけ、前記被検体から発生するＭＲ信号を用いて画像データを生成する開放型磁気共鳴診断装置において、
前記撮影空間より上方にあり磁性体よりなる架台上部と、
前記架台上部に取りつけられ磁界が前記撮影空間を通るように配置された上部磁気発生手段と、
前記架台上部に取り付けられ磁性体よりなる支柱と、
前記支柱の下部と結合し支柱と結合する部分以外の少なくとも一つの側面に切り込み部を設けた架台下部と、
前記架台下部に取りつけられ磁界が前記撮影空間を通るように配置された下部磁気発生手段と
を備え、
前記上部磁気発生手段が、前記架台上部より前記撮影空間側に設けた磁性体よりなる上部ポールピースと前記上部ポールピースと前記架台上部の間に設けられた上部永久磁石からなり、前記下部磁気発生手段が、前記架台下部より撮影空間側に設けた磁性体よりなる下部ポールピースと前記下部ポールピースと前記架台下部の間に設けられた下部永久磁石からなり、前記上部永久磁石より、前記下部永久磁石を小さくし、前記下部永久磁石を円柱状としたことを特徴とする開放型磁気共鳴診断装置。
【請求項８】
撮影空間より上方にあり磁性体よりなる架台上部と、
前記架台上部に取り付けられ磁性体よりなる支柱と、
前記支柱の下部と結合する架台下部と、
前記架台上部に取りつけられ、磁界が前記撮影空間を通るように配置された上部磁気発生手段と、
を備え、
前記上部磁気発生手段は、前記架台上部より前記撮影空間側に設けた磁性体よりなる上部ポールピースと前記上部ポールピースの周囲に巻かれた上部コイルからなり、また前記架台下部に磁気発生手段を配置しないことを特徴とする開放型磁気共鳴診断装置。
【請求項９】
撮影空間より上方にあり磁性体よりなる架台上部と、
前記架台上部に取り付けられ磁性体よりなる支柱と、
前記支柱の下部と結合する架台下部と、
前記架台上部に取りつけられ、磁界が前記撮影空間を通るように配置された上部磁気発生手段と、
を備え、
前記上部磁気発生手段は、前記架台上部より前記撮影空間側に設けた磁性体よりなる上部ポールピースと前記上部ポールピースと前記架台上部の間に設けられた上部永久磁石からなり、また前記架台下部に磁気発生手段を配置しないことを特徴とする開放型磁気共鳴診断装置。
【発明の詳細な説明】
【０００１】
【発明の属する技術分野】
本発明は、対向型磁石を用いた開放型磁気共鳴診断装置に関する。
【０００２】
【従来の技術】
近年、体内の一部の組織が腫瘍であるかどうかを判定するための穿刺針を用いた組織採取や、体内にある一部の組織を除去するカテーテルを用いた治療または手術等に、磁気共鳴診断装置が用いられるようになってきた。磁気共鳴診断装置を前記のように組織採取や治療などの用途で用いるためには、撮影空間がトンネル構造となっているソレノイド型磁石を用いた磁気共鳴診断装置よりも、撮影空間が患者の体軸と垂直な方向に開口している対向型磁石を用いた磁気共鳴診断装置が適している。また、前記ソレノイド型磁石を用いた磁気共鳴診断装置では患者によっては閉所恐怖症などの心理的負担がかかる可能性があったが、この患者の心理的負担を軽減させるためにも対向型磁石を用いた磁気共鳴診断装置が適切である。この対向型磁石を用いた磁気共鳴診断装置の従来例としては様々なものがあるが、１つの従来例として、米国特許第５１９４８１０号があげられる。
この従来例の斜視図を図１１に、断面図を図１２に示す。この従来例では、鉄ポールピース５２と５６が寝台の天板２０を挟むように上下に対向して配置されている。また、前記鉄ポールピース５２と５６にはそれぞれ上部コイル５１および下部コイル５７が巻かれており、前記上部コイル５１および前記下部コイル５７により寝台の天板２０に横たわった状態の患者に上下方向に静磁場を印加することができる。さらに、図示しない傾斜磁場コイルおよび図示しないＲＦコイルにより寝台の天板２０に横たわった状態の患者に傾斜磁場およびＲＦ磁場をかけ、患者の体内画像診断を行う。
【０００３】
ここで、前記鉄ポールピース５２と５６は、患者にかける静磁場を均一にするために用いられている。さらに、鉄ポールピース５２と５６は、共に寝台の天板２０と反対側にある鉄板５３と５５にそれぞれ取り付けられている。さらに、前記鉄板５３と５５は鉄からなる支柱５４により磁気的に接続しており、また、同時に前記支柱５４は、上部コイル５１と鉄ポールピース５２および鉄板５３を重量的に支える役割をしている。
この従来例によると、前記トンネル型磁気共鳴診断装置では困難であった撮影中における穿刺等の処置が可能となり、また、患者の精神的負担も軽減することができる。一方、この開放型磁気共鳴診断装置を用いて、操作者が患者に対して、穿刺等の処置を行うときには、この従来例における構造上、操作者が患者に近づく際に操作者の腹部あるいは胸部が鉄板５５に接することになる。
【０００４】
【発明が解決しようとする課題】
しかしながら、下部コイル５７の巻き数は上部コイル５１と同じであり、下部コイル５７は側面方向に幅広いため、操作者の腹部あるいは胸部に鉄板５５が接し、操作者が患者に近づくことが困難である。また一方、鉄板５３に関しては、支柱５４の長さがある程度長いため、操作者が穿刺等を行う際に、特に問題とはならない。従って、磁気共鳴診断装置により取得した画像を観察しながら、操作者が患者へ穿刺等を行うには、鉄板５５の大きさにより近づける距離が限定されているという問題があった。
そこで、本発明は上記課題を解決し、操作者が患者へ近寄りやすい開放型磁気共鳴診断装置を提供することを目的としている。
【０００５】
【課題を解決するための手段】
上述の課題を解決するため、請求項１に記載の発明は、撮影空間より上方にあり磁性体よりなる架台上部と、前記架台上部に取りつけられ磁界が前記撮影空間を通るように配置された上部磁気発生手段と、前記架台上部に取り付けられ磁性体よりなる支柱と、前記支柱の下部と結合し支柱と結合する部分以外の少なくとも一つの側面に切り込み部を設けた架台下部と、前記架台下部に取りつけられ磁界が前記撮影空間を通るように配置され前記上部磁気発生手段より水平方向の幅が小さい下部磁気発生手段とを具備することを特徴とする。
本発明は上記構成により、前記下部磁気発生手段が前記上部磁気発生手段に比べ水平方向に幅が小さいため、前記架台下部の側面に切り込み部を設けることができる。
また、請求項６に記載の発明は、撮影空間において静磁場が印加された被検体に対して傾斜磁場およびＲＦ磁場をかけ、前記被検体から発生するＭＲ信号を用いて画像データを生成する開放型磁気共鳴診断装置において、前記撮影空間より上方にあり磁性体よりなる架台上部と、前記架台上部に取りつけられ磁界が前記撮影空間を通るように配置された上部磁気発生手段と、前記架台上部に取り付けられ磁性体よりなる支柱と、前記支柱の下部と結合し支柱と結合する部分以外の少なくとも一つの側面に切り込み部を設けた架台下部と、前記架台下部に取りつけられ磁界が前記撮影空間を通るように配置された下部磁気発生手段とを備え、前記上部磁気発生手段が、前記架台上部より前記撮影空間側に設けた磁性体よりなる上部ポールピースと前記上部ポールピースの周囲に巻かれた上部コイルからなり、前記下部磁気発生手段が、前記架台下部より前記撮影空間側に設けた磁性体よりなる下部ポールピースと前記下部ポールピースの周囲に巻かれた下部コイルからなり、前記下部コイルの巻き数を前記上部コイルの巻き数より少なくして前記下部コイルの水平方向の幅を前記上部コイルの水平方向の幅よりも小さくしたことを特徴とする。
本発明は上記構成により、電磁石を用いることで、強い静磁場を印加することができる。また、下部コイルの巻き数を少なくすることにより減少した磁力を上部コイルの巻き数を多くすることにより補うことができ、また前記下部磁気発生手段が前記上部磁気発生手段に比べ小さいため、前記架台下部の側面に切り込み部を設けることができる。
また、請求項７に記載の発明は、撮影空間において静磁場が印加された被検体に対して傾斜磁場およびＲＦ磁場をかけ、前記被検体から発生するＭＲ信号を用いて画像データを生成する開放型磁気共鳴診断装置において、前記撮影空間より上方にあり磁性体よりなる架台上部と、前記架台上部に取りつけられ磁界が前記撮影空間を通るように配置された上部磁気発生手段と、前記架台上部に取り付けられ磁性体よりなる支柱と、前記支柱の下部と結合し支柱と結合する部分以外の少なくとも一つの側面に切り込み部を設けた架台下部と、前記架台下部に取りつけられ磁界が前記撮影空間を通るように配置された下部磁気発生手段とを備え、前記上部磁気発生手段が、前記架台上部より前記撮影空間側に設けた磁性体よりなる上部ポールピースと前記上部ポールピースと前記架台上部の間に設けられた上部永久磁石からなり、前記下部磁気発生手段が、前記架台下部より撮影空間側に設けた磁性体よりなる下部ポールピースと前記下部ポールピースと前記架台下部の間に設けられた下部永久磁石からなり、前記上部永久磁石より、前記下部永久磁石を小さくし、前記下部永久磁石を円柱状としたことを特徴とする。
本発明は上記構成により、電力消費がない永久磁石を用いた場合でも、前記架台下部の側面に切り込み部を設けることができる。また、円柱状の永久磁石を使用することにより、発生する磁界をより均一にすることができる。
また、請求項８に記載の発明は、撮影空間より上方にあり磁性体よりなる架台上部と、前記架台上部に取り付けられ磁性体よりなる支柱と、前記支柱の下部と結合する架台下部と、前記架台上部に取りつけられ、磁界が前記撮影空間を通るように配置された上部磁気発生手段と、を備え、前記上部磁気発生手段は、前記架台上部より前記撮影空間側に設けた磁性体よりなる上部ポールピースと前記上部ポールピースの周囲に巻かれた上部コイルからなり、また前記架台下部に磁気発生手段を配置しないことを特徴とする。
本発明は上記構成により、例えば前記架台下部に撮影空間側へ大きな切り込み部を設けることができる。また、電磁石を用いることで、強い静磁場を印加することができる。
また、請求項９に記載の発明は、撮影空間より上方にあり磁性体よりなる架台上部と、前記架台上部に取り付けられ磁性体よりなる支柱と、前記支柱の下部と結合する架台下部と、前記架台上部に取りつけられ、磁界が前記撮影空間を通るように配置された上部磁気発生手段と、を備え、前記上部磁気発生手段は、前記架台上部より前記撮影空間側に設けた磁性体よりなる上部ポールピースと前記上部ポールピースと前記架台上部の間に設けられた上部永久磁石からなり、また前記架台下部に磁気発生手段を配置しないことを特徴とする。
本発明は上記構成により、電力消費がない永久磁石を用いた場合でも、例えば前記架台下部の側面に大きな切り込み部を設けることができる。
【０００９】
【発明の実施の形態】
以下、本発明に係る第１の実施の形態について、図面を参照して詳細に説明する。図１は本発明に係る第１の実施の形態における開放型磁気共鳴診断装置の斜視図、図２は断面図である。
第１の実施の形態における開放型磁気共鳴診断装置は、磁性体からなる２つのポールピースの間に寝台の天板２０を備えている。図においては、位置関係を明確にするため透視で示されている。前記天板２０より上部側のポールピースを上部ポールピース１６、天板２０より下部側のポールピースを下部ポールピース１４とする。前記上部ポールピース１６および下部ポールピース１４はともに、磁性体で構成されている。
上部ポールピース１６の周囲には上部コイル１７が巻かれている。前記上部コイル１７は、前記上部コイル１７から発生する磁界が前記天板２０に対して垂直方向になるように配置する。また、同様に下部ポールピース１４の周囲には前記上部コイル１７より天板２０と水平な方向の幅の小さい下部コイル１５が巻かれている。
ここで幅を小さくする方法は、下部コイル１５の巻き数を上部コイル１７の巻き数より少なくするものを含む。
第１の実施の形態では、前記上部ポールピース１６と前記上部コイル１７を上部磁気発生手段とし、前記下部ポールピース１４と前記下部コイル１５を下部磁気発生手段としている。
【００１０】
前記下部コイル１５は、前記下部コイル１５から発生する磁界が前記天板２０に対して垂直方向になるように配置する。ここで、上部コイル１７および下部コイル１５は、ヘリウム等の液体冷媒を用いた超電導コイルでも良いし、直接冷凍機で冷却する超電導コイルでも良いし、あるいは、常伝導コイルであってもよい。
そして、円柱状の架台上部１１には天板２０側に上部ポールピース１６が取り付けられており、同様に架台下部１３には天板２０側に下部ポールピース１４が取り付けられている。ここで、前記架台上部１１は円柱状以外の形であってもよい。前記架台上部１１は磁性体よりなる複数本、例えば４本の支柱１２の上部に取り付けられ、前記架台下部１３は前記４本の支柱１２の下部に取り付けられている。また、前記支柱１２は前記上部コイル１７および前記下部コイル１５よりも外側にあるものとする。また、ここで、前記架台下部１３は、前記支柱１２の取り付けてある部分以外の部分に、側面から切り込み部を設けた形状となっている。なお、前記切り込み部の大きさは、操作者が入れる程度の大きさであり、形状は、前記架台下部１３および前記支柱１２が磁気的に結合できる条件であれば、どのような形であっても良い。例えば、図１０に示すように、磁気回路を形成する最低限必要な部分のみ残し、それ以外の部分に大きく切り込み部を設けてもよい。また、天板を挿入する側面には切り込み部を設けず、その他の側面にのみ切り込み部を設けても良い。
【００１１】
なお、これは、以下第２乃至第４の実施の形態においても同じである。
操作者はまず、天板２０に患者を乗せ、前記支柱の間から前記上部ポールピース１６と下部ポールピース１４の間に天板２０を移動させる。前記上部コイル１７および前記下部コイル１５は図示しない電源から、適当な電力を供給され、静磁場を発生する。このときの静磁場の磁束を点線矢印により示す。前記上部コイル１７および前記下部コイル１５より発生した磁束は、まず天板２０に乗せられた患者体内を通り、続いて、下部ポールピース１４へ透過する。下部ポールピース１４は架台下部１３と磁気的に接しているため、磁束は前記架台下部１３から支柱１２を通り、架台上部１１を伝って、上部ポールピース１６へ戻る。なお、前記上部ポールピース１６と前記下部ポールピース１４により天板２０に横たわった患者に、均一に静磁場をかけることができる。また、ここで、前記上部コイル１７および前記下部コイル１５の巻き方を変える、あるいは電流の方向を変えることにより、磁束の方向を点線矢印と反対となるようにしてもよい。また、前記支柱１２は下部コイル１５よりも巻き数の多い上部コイル１７と上部ポールピース１６および架台上部１１を重量的に支えるので、必要があれば前記支柱１２の強度を補強するため、材質に磁性体と硬化樹脂などを組み合わせたものを用いてもよい。
【００１２】
続いて、操作者は図示しない傾斜磁場コイルとＲＦコイルに、静磁場と同様に電力を供給し、傾斜磁場およびＲＦ磁場を加えた後、ＲＦコイルより得られた信号により患者体内の画像診断を行う。
操作者はこの患者体内の画像を観察しながら、必要な処置、たとえば体内検査のための穿刺、あるいは、治療のためのカテーテル挿入などを行うことができる。
前記架台下部１３は、天板２０側に備えられた前記下部コイル１５が前記上部コイル１７よりも天板２０と水平な方向の幅が小さいため、側面に切り込み部を設けることができ、操作者は前記支柱１２の適当な２本の間にある切り込み部に身を寄せて、患者に近づき、必要な処置をとることができる。なお、架台上部１１が適度な高さ以上、例えば操作者の身長よりも少し高い略２ｍ程度以上であると、よりスムーズに患者に近づくことができる。ここで、例えとして、前記切り込み部を設けた開放型磁気共鳴診断装置の使用している状態を図９に示す。なお、図９は以下第２乃至第３の実施の形態でも、略同じ外観図となる。
以下、本発明に係る第２の実施の形態について、図面を参照して詳細に説明する。図３は本発明に係る第２の実施の形態における開放型磁気共鳴診断装置の斜視図、図４は断面図である。なお、第１の実施の形態と同一構成のものは同一番号を付して詳しい説明は省略する。
【００１３】
第２の実施の形態では、架台上部１１の天板２０側に上部永久磁石２３を取り付け、前記永久磁石２３を挟むように上部ポールピース１６を設ける。
同様に、架台下部１３の天板２０側に、前記上部永久磁石２３より天板２０と水平な方向の幅が小さい円柱状の下部永久磁石２４を取り付け、前記永久磁石２４を挟むように下部ポールピース１４を設ける。ただし、ここで下部永久磁石２４の形状は、特に円柱状に限定しない。
第２の実施の形態では、前記上部永久磁石２３と前記上部ポールピース１６を上部磁気発生手段とし、前記下部永久磁石２４と前記下部ポールピース１４を下部磁気発生手段としている。
なお、前記上部永久磁石２３および前記下部永久磁石２４は、発生する磁界が天板２０に対して垂直方向になるように設ける。
また、前記上部ポールピース１６を取り除き上部磁気発生手段を前記上部永久磁石２３のみとしても良いし、また、前記下部ポールピース１４を取り除き下部磁気発生手段を前記下部永久磁石２４のみとしても良い。
その他の構成は、第１の実施の形態と同様であるため、省略する。
操作者はまず、天板２０に患者を乗せ、前記支柱の間から前記上部ポールピース１６と下部ポールピース１４の間に天板２０を移動させる。前記上部永久磁石２３および前記下部永久磁石２４から静磁場が発生している。このときの静磁場の磁束を点線矢印により示す。
【００１４】
静磁場を患者にかけた後は、第１の実施の形態と同様であるため、省略する。第２の実施の形態では、前記下部永久磁石２４が上部永久磁石２３より、天板２０と水平な方向の幅が小さいため、前記架台下部１３の側面に切り込み部を設けることができ、前記切り込み部に身を寄せて、患者に近づき、必要な処置をとることができると同時に、静磁場の発生に永久磁石を使うことにより、コイルを使う場合と異なり、電力を消費することなく、患者に静磁場をかけることができる。
以下、本発明に係る第３の実施の形態について、図面を参照して詳細に説明する。図５は本発明に係る第３の実施の形態における開放型磁気共鳴診断装置の斜視図、図６は断面図である。
第３の実施の形態では、患者の横たわる寝台の天板２０の上方に磁性体からなる上部ポールピース１６を備え、前記上部ポールピース１６の周囲には、上部コイル１７が巻かれている。前記上部コイル１７は、前記上部コイル１７から発生する磁界が前記天板２０に対して垂直方向になるように配置する。
第３の実施の形態では、前記上部ポールピース１６と前記上部コイル１７を上部磁気発生手段としている。ここで、上部コイル１７は、ヘリウム等の液体冷媒を用いた超電導コイルでも良いし、直接冷凍機で冷却する超電導コイルでも良いし、あるいは、常電導コイルであってもよい。なお、第３の実施の形態では、下部磁気発生手段は設けていない。
【００１５】
前記上部ポールピース１６は天板２０と反対側にある円柱状の架台上部１１に取り付けられている。また、前記天板２０を略中心に、前記架台上部１１と対向して、架台下部１３が前記天板２０の下方に設けられている。
ここで、前記架台上部１１は円柱状以外の形であってもよい。前記架台上部１１は磁性体よりなる複数本、例えば４本の支柱１２の上部に取り付けられ、前記架台下部１３は前記４本の支柱１２の下部に取り付けられている。ただし、支柱１２の本数は４本に限定されず、また本数が奇数であっても良い。また、前記支柱１２は前記上部コイル１７よりも外側にあるものとする。また、ここで、前記架台下部１３は、前記支柱１２の取り付けてある部分以外の部分に、側面から切り込み部を設けた形状となっている。
操作者はまず、天板２０に患者を乗せ、前記支柱の間から前記上部ポールピース１６と架台下部１３の間に天板２０を移動させる。前記上部コイル１７は図示しない電源から、適当な電力を供給され、静磁場を発生する。このときの静磁場の磁束を点線矢印により示す。前記上部コイル１７より発生した磁束は、まず天板２０に乗せられた患者体内を通り、続いて、架台下部１３へ透過する。磁束は前記架台下部１３から支柱１２を通り、架台上部１１を伝って、上部ポールピース１６へ戻る。なお、前記上部ポールピース１６により天板２０に横たわった患者に、均一に静磁場をかけることができる。
【００１６】
患者に静磁場をかけた後は、第１の実施の形態と同様であるため、省略する。
第３の実施の形態では、静磁場の発生に上部コイル１７のみを用いており、架台下部１３にはコイルがないため、架台下部１３の側面には大きな切り込み部を設けることができるため、操作者は患者へより容易に接近することができる。
以下、本発明に係る第４の実施の形態について、図面を参照して詳細に説明する。図７は本発明に係る第４の実施の形態における開放型磁気共鳴診断装置の斜視図、図８は断面図である。なお、第１の実施の形態と同一構成のものは同一番号を付して詳しい説明は省略する。
第４の実施の形態では、架台上部１１の天板２０側に上部永久磁石２３を取り付け、前記永久磁石２３を挟むように上部ポールピース１６を設ける。なお、第４の実施の形態では、前記上部永久磁石２３と前記上部ポールピース１６を上部磁気発生手段とし、下部磁気発生手段は設けていない。
なお、前記上部永久磁石２３および前記下部永久磁石２４は、発生する磁界が天板２０に対して垂直方向になるように設ける。
その他の構成は、第１の実施の形態と同様であるため、省略する。
操作者はまず、天板２０に患者を乗せ、前記支柱の間から前記上部ポールピース１６と架台下部１３の間に天板２０を移動させる。前記上部永久磁石２３から静磁場が発生している。このときの静磁場の磁束を点線矢印により示す。
【００１７】
静磁場を患者にかけた後は、第１の実施の形態と同様であるため、省略する。第４の実施の形態では、第１の実施の形態と同様、前記架台下部１３の側面に切り込み部を設けることができ、また、前記切り込み部は下部永久磁石がある場合に比べ、大きくすることができる。操作者は前記大きな切り込み部に身を寄せて、患者に近づき、必要な処置をとることができる。また、静磁場の発生に永久磁石を使うことにより、コイルを使う場合と異なり、電力を消費することなく、患者に静磁場をかけることができる。
【００１８】
【発明の効果】
以上の実施例から明らかなように、本発明によれば、下部磁気発生手段を上部磁気発生手段より小さくする、あるいは、下部磁性体を取り除くことにより、例えば架台下部に操作者の進入可能な切り込み部を作ることができ、操作者が患者へ近寄りやすい開放型磁気共鳴診断装置を提供することができる。
【図面の簡単な説明】
【図１】本発明に係る第１の実施の形態における開放型磁気共鳴診断装置の斜視図である。
【図２】本発明に係る第１の実施の形態における開放型磁気共鳴診断装置の断面図である。
【図３】本発明に係る第２の実施の形態における開放型磁気共鳴診断装置の斜視図である。
【図４】本発明に係る第２の実施の形態における開放型磁気共鳴診断装置の断面図である。
【図５】本発明に係る第３の実施の形態における開放型磁気共鳴診断装置の斜視図である。
【図６】本発明に係る第３の実施の形態における開放型磁気共鳴診断装置の断面図である。
【図７】本発明に係る第４の実施の形態における開放型磁気共鳴診断装置の斜視図である。
【図８】本発明に係る第４の実施の形態における開放型磁気共鳴診断装置の断面図である。
【図９】本発明に係る第１乃至第４の実施の形態における開放型磁気共鳴診断装置の使用図である。
【図１０】本発明に係る第１乃至第４の実施の形態における変形例の開放型磁気共鳴診断装置の斜視図である。
【図１１】従来例における開放型磁気共鳴診断装置の斜視図である。
【図１２】従来例における開放型磁気共鳴診断装置の断面図である。
【符号の説明】
１１    架台上部
１２    支柱
１３    架台下部
１４    下部ポールピース
１５    下部コイル
１６    上部ポールピース
１７    上部コイル
２０    天板
２３    上部永久磁石
２４    下部永久磁石
【図１】
0004377501.tif 000002
【図２】
0004377501.tif 000003
【図３】
0004377501.tif 000004
【図４】
0004377501.tif 000005
【図５】
0004377501.tif 000006
【図６】
0004377501.tif 000007
【図７】
0004377501.tif 000008
【図８】
0004377501.tif 000009
【図９】
0004377501.tif 000010
【図１０】
0004377501.tif 000011
【図１１】
0004377501.tif 000012
【図１２】
0004377501.tif 000013